(57)【要約】      （修正有）【課題】口金及び筆記体を軸筒内から出没可能な筆記具において、片手でのノック操作により容易に口金及び筆記体を時間差をつけつつ繰り出し可能なノック式筆記具を提供すること。【解決手段】軸筒２と、軸筒２の前端開口部１０ａから出没可能な口金３および筆記体（ボールペンレフィル４）と、軸筒２の後端開口部２ａから後方へ突出するノック体６と、を備え、軸筒２の内部に、軸筒２の内方突起と口金３の外段部との間に配設され、口金３を後方に弾発する第一の弾性部材（第１コイルスプリング１６）と、筆記体と口金３との間に配設され筆記体を後方に弾発する第二の弾性部材（第２コイルスプリング１７）と、を配する。【選択図】図１
2018187813.tif 000002
【特許請求の範囲】
【請求項１】
軸筒と、該軸筒の前端開口部から出没可能な口金および筆記体と、当該軸筒の後端開口部から後方へ突出するノック体と、該ノック体をノック操作することで前記口金および前記筆記体を前記軸筒の前端開口部から出没させる出没機構と、を備えたノック式筆記具であって、
前記軸筒の内部に、前記軸筒の内方突起と前記口金の外段部との間に配設され該口金を後方に弾発する第一の弾性部材と、前記筆記体と前記口金との間に配設され該筆記体を後方に弾発する第二の弾性部材とを有し、
前記ノック体をノック操作する際、前記第一の弾性部材の弾発力より前記第二の弾性部材の弾発力を大きくすることで前記筆記体より前記口金が先に前進するよう構成すると共に、ノック操作により前記第一の弾性部材の弾発力が増加し前記第二の弾性部材の弾発力より大きくなる、または、前記口金の当接部と前記軸筒の被当接部とが当接することにより前記筆記体が該口金に対して前進するよう構成したことを特徴とするノック式筆記具。
【請求項２】
前記第二の弾性部材と前記筆記体の外段部間に、摺動可能にワッシャーを配し、当該ワッシャーが、前記筆記体の外段部及び前記口金の内壁に設けた内段部に当接することを特徴とする請求項１に記載のノック式筆記具。
【請求項３】
前記軸筒が、軸筒本体と該軸筒本体の前部に着脱自在に螺合された前軸部材とを有し、前記前軸部材の内方突起と前記口金の外段部との間に前記第一の弾性部材を配設し、前記前軸部材の後部に形成した当接部と前記口金の後部に形成した被当接部とが当接することで前記口金の前方への移動を規制したことを特徴とする請求項１または２に記載のノック式筆記具。
【請求項４】
前記前軸部材と前記軸筒本体との螺合を解除することで、前記前軸部材と共に前記第一の弾発部材と前記第二の弾発部材と前記口金とが一体的に軸筒本体から取り外されることを特徴とした請求項３に記載のノック式筆記具。
【発明の詳細な説明】
【技術分野】
【０００１】
本発明は、ノック式筆記具に関するものであり、特に口金と筆記体とを軸筒より出没可能なノック式筆記具に関するものである。
【背景技術】
【０００２】
従来から、後部外筒を前部外筒に対して回転させることで、筆記体を筆記具本体に対して出没可能に操作することができる、いわゆる回転繰り出し式の筆記具が知られている。
【０００３】
これによれば、非筆記時には筆記体を筆記具本体に対して収納することが可能であるため、該筆記具を衣類のポケット等に収容して形態するような場合でも、衣類をインクや鉛芯等で汚すことなく携帯することができる。
【０００４】
しかしながら、この筆記具では、筆記体は本体に収容可能であるが、口金は収容することが出来ないものであった。このため、口金を衣類のポケットや鞄の中等に入れた際に、口金により、ポケットや鞄内の他の荷物を傷つける場合があり、また、落下等により口金の先端に傷ついたり変形すると、筆記具内の筆記体を口金先端から出没できなくなる場合があった。また、落下時の衝撃などによって没入していた筆記体が、口金の先端から突出して筆記体を傷つけてしまう問題もあった。
【０００５】
これを解消する方法として、特許文献１（実公平７−３２１３３号公報）には、口金を筆記具本体に収容することができる回転繰り出し式の筆記具が提案されている。特許文献１によれば、口金および筆記体が筆記具本体に収容された非筆記状態において、前部外筒に対して後部外筒を相対的に一方向に回転させると、まず口金が突出し、さらに同一方向に回転させると口金から筆記体を突出させることができる。そして、反対方向に回転させると、まず筆記体が口金内に収容され、さらに回転させること口金が筆記具本体に収容される構成を有するものである。
【先行技術文献】
【特許文献】
【０００６】
【特許文献１】実公平７−３２１３３号公報
【発明の概要】
【発明が解決しようとする課題】
【０００７】
しかしながら、特許文献１の回転繰り出し構造では、繰り出す際に両手を用いた操作が必要となり、また、口金と筆記体とを２段階で繰り出すことを必要とするため、筆記体を繰り出すまでに必要な前部外筒に対して後部外筒を回転する回転角度が大きくなる。そして、最初の把持位置で回転を続けると指が追いつかなくなることで、回転中に筆記具を把持し直すことが必要な場合があった。このため、筆記体を繰り出すのに手間が掛かるという問題が生じていた。
【０００８】
本発明は以上の知見からなされたものであって、口金及び筆記体を軸筒内から出没可能な筆記具において、片手でのノック操作により容易に口金及び筆記体を時間差をつけつつ繰り出し可能なノック式筆記具を提供することを目的とする。
【課題を解決するための手段】
【０００９】
本発明は、
「１．軸筒と、該軸筒の前端開口部から出没可能な口金および筆記体と、当該軸筒の後端開口部から後方へ突出するノック体と、該ノック体をノック操作することで前記口金および前記筆記体を前記軸筒の前端開口部から出没させる出没機構と、を備えたノック式筆記具であって、
前記軸筒の内部に、前記軸筒の内方突起と前記口金の外段部との間に配設され該口金を後方に弾発する第一の弾性部材と、前記筆記体と前記口金との間に配設され該筆記体を後方に弾発する第二の弾性部材とを有し、
前記ノック体をノック操作する際、前記第一の弾性部材の弾発力より前記第二の弾性部材の弾発力を大きくすることで前記筆記体より前記口金が先に前進するよう構成すると共に、ノック操作により前記第一の弾性部材の弾発力が増加し前記第二の弾性部材の弾発力より大きくなる、または、前記口金の当接部と前記軸筒の被当接部とが当接することにより前記筆記体が該口金に対して前進するよう構成したことを特徴とするノック式筆記具。
２．前記第二の弾性部材と前記筆記体の外段部間に、摺動可能にワッシャーを配し、当該ワッシャーが、前記筆記体の外段部及び前記口金の内壁に設けた内段部に当接することを特徴とする前記１項に記載のノック式筆記具。
３．前記軸筒が、軸筒本体と該軸筒本体の前部に着脱自在に螺合された前軸部材とを有し、前記前軸部材の内方突起と前記口金の外段部との間に前記第一の弾性部材を配設し、前記前軸部材の後部に形成した当接部と前記口金の後部に形成した被当接部とが当接することで前記口金の前方への移動を規制したことを特徴とする前記１項または２項に記載のノック式筆記具。
４．前記前軸部材と前記軸筒本体との螺合を解除することで、前記前軸部材と共に前記第一の弾発部材と前記第二の弾発部材と前記口金とが一体的に軸筒本体から取り外されることを特徴とした前記３項に記載のノック式筆記具。」である。
【００１０】
本発明によれば、非筆記時（非ノック時）は、口金が軸筒内に収容されているので落下等により口金の先端が傷ついたり変形することがない。
また、第一の弾発部材の弾発力と第二の弾発部材の弾発力との関係は、口金が没入した状態で、第一の弾発部材の弾発力＜第二の弾発部材の弾発力となるが、少なくとも口金の全繰出長の半分以上が繰出されるまでは筆記体が前進しないように各々の弾発力を調整することが好ましく、口金が完全に繰り出されてから筆記体が前進することがより好ましい。
これにより、非筆記時（非ノック時）のノック式筆記具を鞄やポケット等に入れて携帯しても、ノック体に手や荷物等が接触した際、必ず口金が筆記体に対して先に突出するので、筆記体の先端部で他の荷物やポケット内部を汚すこと、及び、筆記体の先端部が傷つくことを防止できる。
【００１１】
また、前記第二の弾性部材と筆記体の外段部間に、摺動可能にワッシャーを配し、当該ワッシャーが、前記筆記体の外段部と、前記口金の内壁に設けた内段部にも当接することで、口金が没入した状態を維持し易くすることができる。これは、筆記体の出没に必要な第二の弾性部材と、口金の出没に必要な第一の弾性部材は、前述の通り、第一の弾性部材＜第二の弾性部材の力関係が必要であるが、筆記体は口金内に収納されるため、口金と筆記体の外段部間に第二の弾性部材を直接、配設すると、第二の弾性部材は筆記体を後方に弾発するが、筆記体の待機位置（非ノック状態）においては筆記体は後方へ移動できないため、口金を前方に押出す作用を有してしまう。その結果、第二の弾性部材と第一の弾性部材の弾発力が同力になるまでは第二の弾性部材が伸長するため、口金が突出してしまうおそれがある。即ち、第二の弾性部材と筆記体の外段部間に、摺動可能にワッシャーを配することで、第二の弾性部材はワッシャーを介して筆記体を後方に弾発し、口金が前進する力は、前記ワッシャーが口金に当接することで受止めることから、第二の弾性部材により口金が前方へ突出することを抑制する効果を奏する。
【００１２】
また、前記軸筒が、軸筒本体と該軸筒本体の前部に着脱自在に螺合された前軸部材とを有し、前軸部材の後部に形成した当接部と口金の後部に形成した被当接部とを当接するよう構成し、口金の前方への移動を規制することで、第一の弾性部材に過大な付加が掛かることを防止でき、第一の弾性部材の耐久性が向上する効果を奏する。
【００１３】
また、前軸部材と軸筒本体との螺合を解除した際、前軸部材と共に第一の弾発部材と第二の弾発部材と口金とが一体的に軸筒本体から取り外されるように構成することで、筆記体を交換する際、部品の紛失や破損が防げるため好ましい。
【発明の効果】
【００１４】
本発明により、口金及び筆記体を軸筒内から出没可能な筆記具において、片手でのノック操作により容易に口金及び筆記体を時間差をつけつつ繰り出し可能なノック式筆記具を提供することができた。
【図面の簡単な説明】
【００１５】
【図１】本実施例のノック式筆記具の縦断面図である。
【図２】図１における、一部を省略した要部拡大縦断面図である。
【図３】前軸部材と口金の組み立て手順を説明するための説明図である。
【図４】回転カム機構を分解した状態を示す側面図である。
【図５】本実施例のノック式筆記具におけるカム動作を模式的に示した図であり、図５（Ａ）はボールペンレフィルの先端が没入した状態で、図５（Ｂ）はボールペンレフィルの先端が突出した状態を示す説明図である。
【図６】図１において、口金の前部が軸筒より突出した状態を示す縦断面図である。
【図７】図６において、ボールペンレフィルの先端が口金より突出した状態を示す縦断面図である。
【図８】ボールペンレフィルを交換する動作を説明するための説明図である。
【発明を実施するための形態】
【００１６】
次に、図面を参照しながら本発明のノック式筆記具をボールペンを用いて詳細に説明するが、本発明は以下の実施例に限定されるものではない。
尚、本発明で、「前方」とは、ノック式筆記具における口金側を指し、「後方」とは、その反対側を指す。また、「内方」とは、軸筒の外周部から軸心に向かう方向を指し、「外方」とは、その反対方向を指す
【００１７】
実施例１
図１は、本実施例のノック式筆記具の概略縦断面図であり、図２は図１の要部を拡大した概略拡大縦断面図であり、図３は前軸部材と口金の組み立て手順を説明するための説明図であり、図４は回転カム機構を分解した状態を示す側面図である。
【００１８】
本実施例のノック式筆記具１は、ノック式のボールペンであり、図１及び図２に示すように、軸筒２と、軸筒２内に前後に摺動可能に収納された口金３と、口金３内に前後に摺動可能に収納されたボールペンレフィル４（筆記体）と、ボールペンレフィル４の後方に配設された回転カム５と、回転カム５の後方に配置され軸筒２の後部開口部２ａから後方に向かって突出するノック体６と、軸筒２の側面に嵌着されたクリップ７と、により構成してある。
また、軸筒２は、各々筒状体で形成された後軸部材８と、後軸８の前部に嵌着された軸筒本体９と、軸筒本体９の前部に着脱自在に螺合した前軸部材１０と、により構成してある。
【００１９】
ボールペンレフィル４は、ＰＰ樹脂からなるインキ収容筒１１に、筆記具用インキ組成物を直接収容し、インキ収容筒１１の前端開口部に、ボール（φ０．５ｍｍ）を回転自在に抱持したボールペンチップ１２の後部を圧入嵌合して得たものである。
また、ボールペンレフィル４の外方には、ボールペンレフィル４の外周部４ａに対して摺動自在に装着したワッシャー１３を配設してあり、ワッシャー１３の後端面がボールペンレフィル４の外周部４ａに設けた外段部４ｂに当接するように形成してある。
る。
【００２０】
軸筒本体９は、図１に示すように、前部内周面に雌螺子部９ａを形成してある。また、軸筒本体９の後部外周面には内周面まで貫通する係止孔９ｂを形成してある。
【００２１】
前軸部材１０は、前部に口金３が前方に向かって突出可能な前端開口部１０ａを形成してあり、前端開口部１０ａの内径寸法は、口金３が軸筒２内で前後に摺動可能になるように、口金３の外径寸法より若干大きく形成してある。
また、前軸部材１０の後部外周面には、軸筒本体９の雌螺子部９ａと着脱自在に螺合する雄螺子部１０ｂを形成してある。
【００２２】
口金３は、各々筒状体で形成された先口部材１４と筒状部材１５とで構成してあり、筒状部材１５の前部外周面に外方へ向って突出する圧入突起１５ａを形成し、先口部材１４の内周面１４ａに筒状部材１５の圧入突起１５ａを圧入することで、着脱不能に固定してある。
【００２３】
筒状部材１５について詳述すると、図１及び図２に示すように、筒状部材１５は後端部に円環状に形成され外方へ向って突出する当接部１５ｂが形成してあり、前軸部材１０の後端部１０ｃと当接部１５ｂとが口金３の前進時に当接するよう形成することで、口金３が一定以上前進することを規制してある。
また、筒状部材１５の外周面に設けた外段部１５ｃと前軸部材１０の内周部に円環状に設けた内方突起１０ｄ（軸筒の内段部）と間に第１コイルスプリング１６（第一の弾性部材）を配設し、第１コイルスプリング１６により筒状部材１５（口金３）を後方へ弾発してある。
更に、筒状部材１５の内面には内段部１５ｄを形成してあり、内段部１５ｄの前端面とワッシャー１３の後端面とが当接するよう構成してある。  
【００２４】
また、先口部材１４について詳述すると、先口部材１４は、前述したように前後に開口部を有する筒状体であり、内周部に設けた前方内段部１４ｂとワッシャー１３の前端面との間に第２コイルスプリング１７（第ニの弾性部材）を配設し、第２コイルスプリング１７によりワッシャー１３を介してボールペンレフィル４（筆記体）を後方へ弾発してある。
【００２５】
ここで、図３を用いて、前軸部材１０に対して口金３を摺動自在に取り付ける方法を説明すると、まず始めに、前軸部材１０の後部内穴１０ｅに第１コイルスプリング１６を後方側から内方突起１０ｄに当接するまで挿入し、さらに後方から筒状部材１５を挿入する。そして、筒状部材１５の前部内穴１５ｅにワッシャー１３と第２コイルスプリング１７とを前方側から順に挿入し、更に、先口部材１４を筒状部材１５の前部に被せるように装着し、前述したように、筒状部材１５の圧入突起１５ａに先口部材１４の内周面１４ａを圧入することで固定してある。
この際、前軸部材１０の後端部１０ｃと筒状部材１５の当接部１５ｂとが当接関係にあるため、前軸部材１０に対して筒状部材の前進は規制され、前軸部材１０の内方突起１０ｄに対して先口部材１４の外径寸法を大きく形成してあるため、前軸部材１０に対して先口部材１４の後退が規制される。このため、口金３は第１コイルスプリング１６、第２コイルスプリング１７、ワッシャー１３と共に前軸部材１０に対して前後に摺動可能且つ着脱不能に係着される。
【００２６】
次に、後軸部材８について詳述すると、図１に示すように、後軸部材８には前部に外方へ向って突出する係止突起８ａを形成してあり、係止突起８ａと軸筒本体９の係止孔９ｂとを係止することで、後軸部材８と軸筒本体９とを着脱不能に嵌着してある。
また、後軸部材８は、内部に口金３を前軸部材１０（軸筒２）の前端開口部１０ａから出没させ、且つ、ボールペンレフィル４（筆記体）を口金３の前端開口部３ａから出没させる回転カム機構１８を形成してある。
更に、後軸部材８の後部側面には突起部８ｂが形成してあり、突起部８ｂにクリップ７を着脱不能に嵌着してある。
【００２７】
回転カム機構１８は、後軸部材８の後部内面８ｃの円周上に等間隔で形成したカム溝８ｄと、後軸部材８の後端に形成した後端開口部（軸筒２の後端開口部２ａ）から突出したノック体６と、ノック体６の前方に軸筒２に対して回転可能に配設した筒状の回転カム５とで構成してある。
また、図４に示すように、ノック体６は、前端に山形の凹凸部６ａを有し、外面には、カム溝８ｄに係合する複数の突起６ｂを、凹凸部６ａの頂部６ｃに位置するよう円周上に等間隔で設けてある。
更に、回転カム５の外周面には、カム溝８ｄに係合する複数のカム突起５ａを形成してあり、カム突起５ａの後端に凹凸部６ａに噛み合う傾斜面５ｂで構成した噛合部５ｃを設けてある。
【００２８】
ここで、第１コイルスプリング１６（第一の弾性部材）と第２コイルスプリング１７（第ニの弾性部材）の弾発力について詳述する。
本実施例では、第１コイルスプリング１６及び第２コイルスプリング１７の取付時（非ノック時）の弾発力の関係は、第１コイルスプリング１６＜第２コイルスプリング１７に設定してあり、ボールペンレフィル４を口金３の前端開口部３ａから突出させた使用時（ノック時）の弾発力の関係も非ノック時と同様に、第１コイルスプリング１６＜第２コイルスプリング１７としてある。尚、コイルスプリングの弾発力は、コイルスプリングの材質、線径、巻き数、自由長、取付長などから計算によって求めることができる。
【００２９】
次に、図１及び図５から図７用いて、本実施例のノック式筆記具１のノック操作により、軸筒２に対して口金３及びボールペンレフィル４が出没する状態について説明を行う。尚、図５は本実施例のノック式筆記具１におけるカム動作を模式的に示した図であり、図５（Ａ）は口金３及びボールペンレフィル４の先端が軸筒２内に没入した状態であり、図５（Ｂ）は口金３及びボールペンレフィル４の先端が軸筒２から突出した状態を示した図である。また、図６は口金３の前部が軸筒２から突出した状態を示す縦断面図であり、図７は口金３の前部及びボールペンレフィル４の先端が軸筒２から突出した状態を示す縦断面図であ。
図５（Ａ）に示すように、本実施例の回転カム機構１８は、ノック体６の突起６ｂ及び回転カム５のカム突起５ａをカム溝８ｄに係合させた際、ノック体６の凹凸部６ａの頂部６ｃが、噛合部５ｃの傾斜面５ｂの中間点に位置するようにしてある。
ここで、図１の状態から片手で軸筒２を把持し、軸筒２の後端開口部２ａから突出したノック体６の後部を軸筒２における前方側へ指で押圧操作（ノック操作）すると、ノック体６は、後軸部材８の後部内面８ｃに形成した深いカム溝８ｄａと浅いカム溝３ｄｂに係合した突起６ｂに導かれて前進し、ノック体６に連接した回転カム５は、深いカム溝３ｄａに係合したカム突起５ａに導かれて前進する。
この際、回転カム５の前端部に当接しているボールペンレフィル４も回転カム５に押された前進するが、前述したように第２コイルスプリング１７より第１コイルスプリング１６の弾発力を小さく設定しているため、第２コイルスプリング１７を介してボールペンレフィル４に押された口金３は、第１コイルスプリング１６を圧縮しつつその弾発力に抗して前進する。そして、筒状部材１５の当接部１５ｂが前軸部材１０の後端部１０ｃ（軸筒の被当接部）に当接することで、口金３の前進が規制されて停止し、図６の状態となる。そして、ノック体６を更に押圧することで、ボールペンレフィル４が前進すると、口金３に対してボールペンレフィル４が第２コイルスプリング１７を圧縮しつつその弾発力に抗して前進する。
【００３０】
この時、カム突起５ａが、深いカム溝３ｄａの先端に達してカム溝８ｄから離脱すると、ノック体６の凹凸部６ａの頂部６ｃは、回転カム５の噛合部５ｃの傾斜面５ｂの中間に位置する。この時、回転カム５は、ボールペンレフィル４及び口金３を介して第２コイルスプリング１７及び第１コイルスプリング１６の弾発力で後方へ弾発されているので、後方へ後退しようとして右側から左側に回転し（図５において、噛合部５ｃの傾斜面５ｂが右下がりのため）、回転カム５の噛合部５ｃはノック体６の凹凸部６ａを滑って、図５（Ｂ）に示すように、カム突起５ａの噛合部５ｃが浅いカム溝８ｄｂの先端の係止斜面８ｅに係止され、前軸部材１０の前端開口部１０ａからボールペンチップ１２を突出させた状態で維持することができる図７の状態となる。
【００３１】
また再度、ノック体６を軸筒２の前方側へ押動（ノック操作）することにより、カム突起５ａの噛合部５ｃと浅いカム溝８ｄｂの係止斜面８ｅとの係止状態が解かれ、第１コイルスプリング１６及び第２コイルスプリング１７に弾発された回転カム５が後退しようとして右側から左側に回転し（図５において、噛合部５ｃの傾斜面５ｂが右下がりのため）、回転カム５のカム突起５ａが深いカム溝８ｄａを後退して図５（Ａ）の状態となり、図１に示す前軸部材１０の前端開口部１０ａに口金３及びボールペンチップ１２が没入した状態に戻る。
尚、口金３及びボールペンチップ１２が没入する際、前述したようにノック時の第１コイルスプリング１６と第２コイルスプリング１７との弾発力の関係は、第１コイルスプリング１６＜第２コイルスプリング１７としてあるため、突出時とは逆に、第２コイルスプリング１７から先に伸びて口金に対してボールペンチップ１２が没入し、第１コイルスプリング１６が遅れて伸びて軸筒２に対して口金３が没入する。
【００３２】
また、本実施例では、ノック時の口金３の筒状部材１５の当接部１５ｂが前軸部材１０の後端部１０ｃ（軸筒の被当接部）に当接した時点（口金の繰出しの終了時）において、第１コイルスプリング１６の弾発力＜第２コイルスプリング１７の弾発力となるよう弾発力を調整してあり、ノック操作時に口金３が確実にボールペンレフィル４より先に突出するため、鞄やポケット等にノック式筆記具１を携帯した状態（非ノック時）において、ノック体６に手や荷物等が接触しても必ず口金３がボールペンレフィル４に対して先に突出するので、ボールペンレフィル４の先端部で他の荷物やポケット内部を汚すこと、及び、ボールペンレフィル４の先端部が傷つくことを防止できる。
【００３３】
また、本実施例では、第２コイルスプリング１７とボールペンレフィル４の外段部４ｂとの間にワッシャー１３を配設し、ワッシャー１３の後端面を筒状部材１５（口金３）の内段部１５ｄに当接するよう構成している。このため、非ノック時において、第２コイルスプリング１７は、ワッシャー１３を介してボールペンレフィル４を後方に弾発し、同時に、先口部材１４（口金３）を前方へ弾発する。この時、ワッシャー１３がないと、第２コイルスプリング１７と第１コイルスプリング１６の弾発力が同一になるまで先口部材１４（口金３）が前進してしまうおそれがあるが、ワッシャー１３が筒状部材１５（口金３）に当接することで先口部材１４（口金３）を前方へ弾発する力を受止めることから、口金３の突出を抑制し、口金３の破損や口金３による他の物品を傷つけるこを防止することができる。
【００３４】
次に、ボールペンレフィル４を交換する動作について図８を用いて説明する。
前述したように口金３、第１コイルスプリング１６、第２コイルスプリング１７、ワッシャー１３は、前軸部材１０に対して着脱不納に係着してあるため、前軸部材１０を軸筒本体９に対して回転して前軸部材１０と軸筒本体９との螺合を解除すると、図８のように、前軸部材１０と共に口金３、第１コイルスプリング１６、第２コイルスプリング１７、ワッシャー１３も取り外される。
この状態においてボールペンレフィル４は、軸筒本体９から前方に引っ張ることで取り外すことが出来るため、ボールペンレフィル４を容易に交換することができ、前軸部材を取り外した際に２種類のスプリング及びワッシャー１３が前軸部材１０からばらけることがない為、部品を紛失することを防止できる。
【００３５】
本実施の形態により、片手でのノック操作により容易に口金３及びボールペンレフィル４（筆記体）を時間差をつけつつ繰り出すことができ、更に前軸部材１０を軸筒本体９から取り外すことでボールペンレフィル４（筆記体）を容易に交換可能なノック式筆記具１を提供することができた。
【符号の説明】
【００３６】
１…ノック式筆記具、
２…軸筒、２ａ…後部開口部、
３…口金、３ａ…前端開口部、
４…ボールペンレフィル（筆記体）、４ａ…外周部、４ｂ…外段部、
５…回転カム、５ａ…カム突起、５ｂ…傾斜面、５ｃ…噛合部、
６…ノック体、６ａ…凹凸部、６ｂ…突起６ｂ、６ｃ…頂部、
７…クリップ、
８…後軸部材、８ａ…係止突起、８ｂ…突起部、８ｃ…後部内面、８ｄ…カム溝、
８ｄａ…深いカム溝、８ｄｂ…浅いカム溝、８ｅ…係止斜面、
９…軸筒本体、９ａ…雌螺子部、９ｂ…係止孔、
１０…前軸部材、１０ａ…前端開口部、１０ｂ…雄螺子部、１０ｃ…後端部（係止部）、
１０ｄ…内方突起、１０ｅ…後部内穴、
１１…インキ収容筒、
１２…ボールペンチップ、
１３…ワッシャー、
１４…先口部材、１４ａ…内周面、１４ｂ…前方内段部、
１５…筒状部材、１５ａ…圧入突起、１５ｂ…当接部、１５ｃ…外段部、
１５ｄ…内段部、１５ｅ…前部内穴、
１５ｄ…前部内穴、
１６…第１コイルスプリング（第一の弾発部材）、
１７…第２コイルスプリング（第二の弾発部材）、
１８…回転カム機構。
【図１】
2018187813.tif 000003
【図２】
2018187813.tif 000004
【図３】
2018187813.tif 000005
【図４】
2018187813.tif 000006
【図５】
2018187813.tif 000007
【図６】
2018187813.tif 000008
【図７】
2018187813.tif 000009
【図８】
2018187813.tif 000010